(57)【要約】【課題】　合成樹脂製の枠体上面を有効に利用するようにしたものである。【解決手段】　合成樹脂製であって矩形を呈する枠体と、この枠体の隅角部に固定した脚と、前記枠体の中央部であって四辺を前記枠体の隅角部に向けて配設したヒータユニットと、前記ヒータユニットの辺と枠体の隅角部との間であって枠体の上面に一体形成した凹部とを有するものである。　　【選択図】　　　　図1 
2004138380.tif 000002
【特許請求の範囲】
【請求項１】
合成樹脂製であって矩形を呈する枠体と、この枠体の隅角部に固定した脚と、前記枠体の中央部であって四辺を前記枠体の隅角部に向けて配設したヒータユニットと、前記ヒータユニットの辺と枠体の隅角部との間であって該枠体の上面に一体形成した凹部とを有する合成樹脂製電気コタツ。
【請求項２】
前記凹部の形成位置を除くヒータユニットの辺と枠体の隅角部との間の枠体の上面領域にラベル、広告用表示板よりなる表示領域を設けたことを特徴とする請求項１に記載の合成樹脂製コタツ。
【発明の詳細な説明】
【技術分野】
【０００１】
　本発明は枠体の上部に天板を載置する合成樹脂製コタツに関する。
【背景技術】
【０００２】
　電気コタツは、一般に枠体の上に掛布団を掛け、この掛布団の上部に天板を載置して使用する。また、夏季においてはテーブルや卓として使用することが多いために枠体の上部に直接天板を載置するようにしている。（例えば、特許文献１）
【特許文献１】実開昭６０−１８８９０４号公報　さらに、部屋内を掃除する場合には枠体と天板を重ねた状態で壁等にもたれ掛けさせており、掃除が終った時には天板と枠体とを分離した後で、始めに枠体をフロアーや畳の上に置いたあと天板を載置するようにしている。
【発明の開示】
【発明が解決しようとする課題】
【０００３】
　しかしながら、枠体の上部に載置した天板を取り去る場合には、前記天板が比較的重量があるために持ち上げにくい、という欠点がある。これは前述のように天板に重量があることとは別に指を天板の裏面に入れることができず持ち上げることができないことによる原因が大きい。
【０００４】
　又、最近はライフスタイルが変ったことから、前述の様に夏季であっても枠体の上部に天板を載置して使用することが多い。この場合には電源コードやリモコン或は支持脚の脱着用の工具が不要となるが、枠体にこれらを収納する部分がなく紛失する欠点があった。
【０００５】
　本発明は枠体に載置した天板を簡単に取り去ることができるものである。
【課題を解決するための手段】
【０００６】
　本発明は第一に、合成樹脂製であって矩形を呈する枠体と、この枠体の隅角部に固定した脚と、前記枠体の中央部であって四辺を前記枠体の隅角部に向けて配設したヒータユニットと、前記ヒータユニットの辺と枠体の隅角部との間であって該枠体の上面に一体形成した凹部とを有するものである。
【０００７】
　本発明は第二に、前記凹部の形成位置を除くヒータユニットの辺と枠体の隅角部との間の枠体の上面領域にラベル、広告用表示板よりなる表示領域を設けたものである。
【発明の効果】
【０００８】
　以上の様に本発明は、第１に、合成樹脂製で矩形の枠体の中央部に矩形のヒータユニットを配設し、このヒータユニットの辺と枠体の隅角部との間の枠体の上面に該枠体と一体に凹部を形成したものであるから、この凹部に紛失しやすい工具等や夏季においては不要となる電源コード等を収設することができると共に、特に凹部を枠体と一体に成形したことにより、別部品を用いて収納ボックスを枠体に取り付ける必要がない。
【０００９】
　第２に、前記凹部の形成位置を除くヒータユニットの辺と枠体の隅角部との間の枠体の上面領域に表示領域を設けたものであるから、枠体の平面で凹部よりも上面の領域を上手く利用して表示させることができる。この表示には、例えばコタツの注意書きや使用説明の製造者側のシール貼付領域であってもよく、使用者の好みのシール等を貼付する領域であってもよい。
【実施例】
【００１０】
　本発明の実施例を図面に基づいて説明する。（１）はコタツ本体で、合成樹脂製で一体成形された矩形を呈する方形の枠体（２）と、この枠体の隅角部（３ａ）（３ｂ）（３ｃ）（３ｄ）に固定した脚（４）（４）（４）（４）とから構成する。
【００１１】
　前記枠体（２）の形状について詳述する。（５）（５）（５）（５）は前記隅角部間の四つの辺（６）（６）（６）（６）のそれぞれの外側壁（７）に上方と側方を開放して形成した側面視形状が逆台形（図１参照）の窪みで、それぞれを対向する辺の中央部に設けている。（８）は前記枠体（２）の平面部の中央付近に形成した後述するヒータユニット（１３）の収納部である。
【００１２】
　この収納部（８）は、矩形であって四辺（９ａ）（９ｂ）（９ｃ）（９ｄ）を前記枠体（２）の隅角部（３ａ）（３ｂ）（３ｃ）（３ｄ）に対向させており、コーナー部（１０）（１０）（１０）（１０）を前記枠体（２）の辺（６）（６）（６）（６）に対向させて形成している。
【００１３】
　さらに、前記枠体（２）は、前記収納部（８）の２つの辺（９ａ）（９ｃ）と枠体（２）の対向する隅角部のうちの２つの隅角部（３ａ）（３ｃ）との間にあって枠体の上面に該枠体と共に一体成形した２つの凹部（１１ａ）、（１１ｂ）を形成している。
【００１４】
　（１２）、（１２）は前記収納部（８）の残りの２つの辺（９ｂ）（９ｄ）と残りの対向する隅角部のうちの２つの隅角部（３ｂ）（３ｄ）との間にあって枠体の上面に貼着或は刻印若しくは印刷したラベルや広告用表示板の表示領域である。この表示領域は前記凹部（１１ａ）、（１１ｂ）よりも上方位置にあり目立つ位置となる。
【００１５】
　（１３）は前記収納部（８）に上方から収納して固定したヒータユニット、（１４）は一方の前記凹部（１１ａ）に収設した前記ヒータユニット（１３）に連結する電源コード、（１５）は他方の前記凹部（１１ｂ）に収設した脚（４）…（４）を枠体（２）に固定する時に使用する工具である。
【００１６】
　（１６）は前記枠体（２）の上部に載置する矩形の天板で、外形寸法は枠体（２）と略同じに設定している。
【００１７】
　次に使用状態について述べる。冬季において、枠体（２）の上部に掛布団（図示せず）を掛けて使用する場合には、この掛布団の上に天板（１６）を載置して使用する。掃除を行う時に天板（１６）を取り去る場合には、指を掛布団の上面と天板（１６）の裏面との間に挿入して天板を持ち上げるわけであるが、この場合は掛布団が押えられて指が天板の裏面に充分に挿入することができる。
【００１８】
　夏季において、天板（１６）を直接枠体（２）の上部に載置する。この場合には図１に示すように窪み（５）と天板（１６）の裏面との間に指掛部（１７）が形成され、この指掛部に指を入れることにより、指が天板（１６）の裏面に充分に挿入できる。
【００１９】
　前記窪みを逆台形の形状にした理由は、枠体に天板を載置した状態では窪みの位置が確認しにくいことから、指をこの窪みに掛ける時には、特に窪みの位置を確認することなく指が容易に窪みに入り込む点と、枠体の外側壁の上下方向に亙って幅広の窪みを形成した場合には、確かに指は容易に窪みに入り込むものの枠体の外側壁の強度が低下するのを防止した形状とした点にある。
【図面の簡単な説明】
【００２０】
【図１】本発明の合成樹脂製コタツの一実施例を示す側面一部断面図である。
【図２】同じく天板の平面図である。
【符号の説明】
【００２１】
　１　　コタツ本体
　２　　枠体
　３ａ　隅角部
　３ｂ　隅角部
　３ｃ　隅角部
　３ｄ　隅角部
　４　　脚
　５　　窪み
　８　　収納部
　９ａ　辺
　９ｂ　辺
　９ｃ　辺
　９ｄ　辺
　１１ａ　凹部
　１１ｂ　凹部
　１３　　ヒータユニット
　１６　　天板
　１７　　指掛部
【図１】
2004138380.tif 000003
【図２】
2004138380.tif 000004